(57)【要約】【課題】  記録媒体の幅によらず容易に記録媒体を装着できるインクジェットプリンターを提供する。【解決手段】  記録媒体の巻き回されている紙管を固定する紙管固定部と、紙管固定部を回動可能に支持する立設部と、紙管より長く記録媒体の搬送方向に垂直な方向に沿って配置された２本の円筒の支持軸と、立設部の根元に配置された基底部と、その基底部には一方の支持軸の断面と同径の貫通孔を支持軸に摺動可能に支持された第一摺動部と他方の支持軸の断面とは異形の貫通孔を支持軸に摺動可能に支持された第二摺動部とが備わり、支持軸に沿って紙管の幅に応じてホルダーを移動でき、２本の支持軸には記録媒体が巻き回されたロールを昇降する着脱自在のリフトが備わるインクジェットプリンター。【選択図】  図１
2014144557.tif 000002
【特許請求の範囲】
【請求項１】
紙管に記録媒体が巻回された供給ロールから前記記録媒体を供給する供給部と、
前記記録媒体を搬送する搬送手段と、
前記供給部から供給された前記記録媒体に記録を行う記録ヘッドと、
前記記録ヘッドで記録された前記記録媒体を巻取りロールに巻取る巻取り部と、
前記記録ヘッドを搭載し、前記記録媒体の搬送方向に対して交差する方向に移動するキャリッジと、
前記記録ヘッドに対向する位置に配置されると共に前記記録媒体を支持するプラテンと、
前記プラテンの前記搬送方向の下流側に配置され、前記記録ヘッドによって記録された前記記録媒体を加熱すると共に前記記録媒体の搬送を案内するガイドと、を備えるインクジェットプリンターにおいて、
前記巻取り部と前記供給部の少なくとも一方は、
前記交差する方向に沿って配置された２本の支持軸と、
前記２本の支持軸が摺動可能に配置された摺動部を備えると共に前記紙管を固定する１対のホルダーと、
前記２本の支持軸に掛け渡されて載置され、前記巻取りロールまたは前記供給ロールを載置する受具と、
前記２本の支持軸に掛け渡されて載置され、前記巻取りロールまたは前記供給ロールを載置し、該載置された前記巻取りロールまたは前記供給ロールを上下に移動させる昇降手段を備えるリフトと、を有し、
前記受具と前記リフトが前記２本の支持軸に対して着脱可能であることを特徴とするインクジェットプリンター。
【請求項２】
前記１対のホルダーは、
夫々の前記ホルダーの本体部の上方部には、回動可能に支持され、前記紙管を固定する紙管固定部と、
夫々の前記ホルダーの前記本体部の下方部に備えられ、前記２本の支持軸のうち少なくとも片方に固定する固定手段と、
夫々の前記ホルダーの前記本体部の前記下方部に前記摺動部が備わり、該摺動部は少なくとも、前記２本の支持軸の内の一方の前記支持軸の外径と同形状の内周部を有し、前記一方の前記支持軸に摺動可能に取り付けられる第一摺動部と、前記２本の支持軸の内の他方の前記支持軸の外径と異形状の内周部を有し、前記他方の前記支持軸に摺動可能に取り付けられる第二摺動部と、
を有し、
夫々の前記ホルダーは前記２本の支持軸を摺動し、前記２本の支持軸の任意の位置で前記固定手段によって固定されることを特徴とする請求項１に記載のインクジェットプリンター。
【請求項３】
前記昇降手段は、ハンドルと、前記ハンドルを回転に連動するネジ部を備え、一方の方向に前記ハンドルを回転させると前記巻取りロールまたは前記供給ロールが降下し、他方の方向に回転させると前記巻取りロールまたは前記供給ロールが上昇することを特徴とする請求項１または請求項２に記載のインクジェットプリンター。
【請求項４】
前記インクジェットプリンターの下側に接続された脚部を更に有し、前記脚部に前記巻取り部を案内するレールを備え、
前記レールを前記巻取り部が摺動することで、前記巻取り部が前記ガイドの下方に配置された状態と、前記巻取り部が前記ガイドの下方から引き出された状態にすることができ、
前記記録媒体に記録を行っている場合は、前記巻取り部が前記ガイドの下方に配置された状態であることを特徴とする請求項１から請求項３の何れか１項に記載のインクジェットプリンター。
【発明の詳細な説明】
【技術分野】
【０００１】
本発明は、例えば比較的幅広の記録媒体に、画像の記録を行うインクジェットプリンターに関する。
【背景技術】
【０００２】
従来、紙や塩化ビニールフィルムなどの記録媒体にインク滴を吐出して文字や画像等の記録を行うインクジェット方式のプリンターが知られている。このインクジェット方式のプリンターには、記録媒体の搬送方向に直交する幅、すなわち記録媒体の幅が、例えば１ｍ〜３ｍ程度の、比較的幅広のものに記録を行う比較的大型のインクジェットプリンターがある。
【０００３】
この種のプリンターは、記録媒体に記録を行う記録ユニットと、この記録ユニットによって記録される記録媒体を搬送する搬送ユニットとを備えている。記録ユニットは、記録媒体にインク滴を吐出するインクジェット方式の記録ヘッドと、記録媒体の搬送方向に直交する幅方向に記録ヘッドを走査させるヘッド移動機構とを有している。搬送ユニットは、記録媒体が巻回された供給ロールから記録媒体を供給する供給部と、記録ヘッドによって記録される記録媒体を支持するプラテンと、記録ヘッドによって記録された記録媒体を巻取りロールに巻取る巻取り部とを有している。
【０００４】
上述のように構成された従来のプリンターは、供給部の供給ロールから供給された記録媒体が、プラテン上に支持されて、記録ヘッドによって記録が行われる。記録が行われた記録媒体は、巻取り部の巻取りロールに巻取られる。このようなプリンターでは、記録媒体の幅は特定の幅のものだけではなく、様々な幅のものが使用される。このような様々な幅のものを、供給部および巻取り部に装着できる必要がある。このような装置の例として、例えば特開２０１０−１６８２２０号公報に記載の装置がある。
【先行技術文献】
【特許文献】
【０００５】
【特許文献１】特開２０１０−１６８２２０号公報
【発明の概要】
【発明が解決しようとする課題】
【０００６】
ところで、従来のプリンターでは、紙管の中にロール軸を挿入し、そのロール軸の両端を回動可能に支えている。ロール軸は使用可能な最大幅に対応できるようになっているのでかなり長いものになっている。これは、幅の狭い記録媒体を使う時でも必ずロール軸を使用しなければならず、長いロール軸は取り扱いが不便であった。また、ロール軸の一方の端部を基準にロール状の記録媒体を配置する必要があり、軸方向に記録媒体を移動させることが困難であった。
【０００７】
また、記録媒体が巻き回されたロールは数十キログラムあり、使用者が一人で作業する場合に取扱いが難しかった。例えば、供給部にセットする場合でも、巻取り部から取り外す場合でも、数十キログラムのロールを持ち上げてホルダーに取り付ける作業をしなければならず、一人でセットあるいは取り外す作業は困難であった。
【課題を解決するための手段】
【０００８】
本発明のインクジェットプリンターは、紙管に記録媒体が巻回された供給ロールから前記記録媒体を供給する供給部と、前記記録媒体を搬送する搬送手段と、前記供給部から供給された前記記録媒体に記録を行う記録ヘッドと、前記記録ヘッドで記録された前記記録媒体を巻取りロールに巻取る巻取り部と、前記記録ヘッドを搭載し、前記記録媒体の搬送方向に対して交差する方向に移動するキャリッジと、前記記録ヘッドに対向する位置に配置されると共に前記記録媒体を支持するプラテンと、前記プラテンの前記搬送方向の下流側に配置され、前記記録ヘッドによって記録された前記記録媒体を加熱すると共に前記記録媒体の搬送を案内するガイドと、を備えるインクジェットプリンターにおいて、前記巻取り部と前記供給部の少なくとも一方は、前記交差する方向に沿って配置された２本の支持軸と、前記２本の支持軸が摺動可能に配置された摺動部を備えると共に前記紙管を固定する１対のホルダーと、前記２本の支持軸に掛け渡されて載置され、前記巻取りロールまたは前記供給ロールを載置する受具と、前記２本の支持軸に掛け渡されて載置され、前記巻取りロールまたは前記供給ロールを載置し、該載置された前記巻取りロールまたは前記供給ロールを上下に移動させる昇降手段を備えるリフトと、を有し、前記受具と前記リフトが前記２本の支持軸に対して着脱可能であることを特徴とする。
【発明の効果】
【０００９】
ロール軸を使用せずに容易に様々な幅の記録媒体を装着でき、また装着した記録媒体を幅方向に容易に移動させることができるインクジェットプリンターを提供できる。
【図面の簡単な説明】
【００１０】
【図１】図１は、インクジェットプリンターの全体の外観図である。
【図２】図２は、巻取り装置の斜視図である。
【図３】図３は、ロール受の側面図である。
【図４】図４（ａ）、（ｂ）、（ｃ）は、ロールリフト部の動作を説明する図である。
【図５】図５は、ホルダーにロールが取り付けられた状態を説明する図である。
【図６】図６（ａ）、（ｂ）、（ｃ）、（ｄ）は、ホルダーにロールを取り付ける動作を説明する図である。
【図７】図７は、記録媒体の位置を説明する図である。
【発明を実施するための形態】
【００１１】
以下、本発明の実施形態について、図面を参照して説明する。図１は、インクジェットプリンターの全体の外観図である。
インクジェットプリンター１では、記録媒体として、例えば、搬送方向に直交する幅寸法が最大３ｍ程度の比較的幅広にされた紙や塩化ビニル樹脂やＰＥＴ樹脂などの合成樹脂フィルム等が用いられる。キャリッジ３は記録ヘッドとしてインクジェットヘッドを搭載し、Ｙレール４に沿って往復移動する。インクジェットヘッドは、往復移動しながらプラテン２上に搬送された記録媒体にインクを吐出し、画像を記録する。プラテン２の記録媒体の搬送方向上流には、プラテン２に沿って搬送ローラー５が配置されている。搬送ローラー５によって記録媒体が搬送される。記録された記録媒体は、ペーパーガイド６に沿って搬送される。ペーパーガイド６にはヒーターが備わり、記録後の記録媒体を加熱することでインクの定着を促進させる。
【００１２】
インクジェットプリンター１には、記録された記録媒体を巻取る巻取り装置１６が備わる。インクジェットプリンター１の幅方向に軸１４と軸１５が平行に配置されている。インクジェットプリンター１の下側に本体を支える脚部が備わり、その脚部にはレール８が備わっている。このレール８に沿って軸１４と軸１５が固定されている台が移動する。台にはキャスター７が備わり、接地面を転がる。
【００１３】
軸１４と軸１５には、軸の長手方向に摺動可能に、ホルダー１０とホルダー１１が備わる。ホルダー１０には、記録媒体を巻取る動力源としてモーター９が備わる。また、記録媒体を仮置きするロール受１２とリフト１３が着脱可能に備わる。ロール受１２とリフト１３は記録媒体をホルダー１０とホルダー１１に取り付けたり外したりする場合に使用する。また２本の軸１４と軸１５の間にロール受１２を配置することで、誤って紙管および巻かれた記録媒体が下に落ちことがないので、落とすことによる傷付の防止ができる。
【００１４】
図２は、巻取り装置の斜視図である。巻取り装置１６のホルダー１０は、紙管に挿入してその紙管を固定する紙管固定部であるコネクター１９が備わる。また、コネクター１９はホルダー１０の本体部の上方部に回転可能に支持され、モーター９の回転に応じて回転する。巻取り装置１６のホルダー１１は、紙管に挿入して固定するコネクター１８が備わる。コネクター１８は回転可能に支持されている。巻取り装置１６はインクジェットプリンター１に取り付けられている。紙管の両端にコネクター１８とコネクター１９が固定され、モーター９を回転させることで、紙管を回転させ記録媒体を巻取る。
【００１５】
また、図示はしていないが、インクジェットプリンター１の給紙側にも同様の装置を用いることができる。その場合、紙管に記録媒体が巻き回されているロールを用いる。コネクター１８とコネクター１９にロールの紙管を固定する。記録媒体が引き出される方向に回転する場合は自由に回転でき、逆方向にはモーター９によって記録媒体を巻く。例えばワンウエイクラッチを用いて巻き取る方向のみモーター９の回転に応じてロールが回転するように構成する。ロールから記録媒体をインクジェットプリンター１に供給し、画像を記録し、巻取り装置１６で記録後の記録媒体を巻取ることになる。摺動部１７によってホルダー１１が軸１４を摺動可能に支持されている。ホルダー１０にも同様に摺動部が備わる。
【００１６】
図３は、ロール受の側面図である。ロール受１２は、軸１４と軸１５に載置して使用する。ロール受１２は軸１４に載置した時に軸と交差する方向に移動しないように、ロール受１２の下部に曲げ部２３と鍔部２４が備わる。曲げ部２３と鍔部２４の間に軸１４が入るように載置する。ロール受１２の上部には、第１クッション２０、第２クッション２１、第３クッション２２が備わる。第２クッション２１と第３クッション２２はテーパー部が備わる。第１クッション２０が中央、第２クッション２１と第３クッション２２を端部に配置することで、ロールを置いた時にロールが転げ落ちないようにしている。
【００１７】
図４（ａ）、（ｂ）、（ｃ）は、リフトの動作を説明する図である。リフト１３は、軸１４と軸１５に載置して使用する。リフト１３は軸１４に載置した時に軸と交差する方向に移動しないように、リフト１３の下部に曲げ部３３と鍔部３４が備わる。曲げ部３３と鍔部３４の間に軸１４が入るように載置する。リフト１３の上部には、リフト部が備わる。ハンドル３１を回転させることで軸３２を回転させる。軸３２はねじが刻まれ、回転させることで、関節部２９と３０の角度が変わり、高さを可変できる。更に上部にはロール載置部があり、底部２７、第１斜部２６、第２斜部２８が備わる。ロール載置部がハンドルの回転によって昇降する。また、ロール載置部にロールを載置した場合に第１斜部２６、第２斜部２８によってロールが転げ落ちることを防止している。
【００１８】
図４（ａ）は、ロール載置部が降下したところに位置している状態を示す。図４（ｂ）は、ロール載置部が中間に位置している状態を示す。図４（ｃ）は、ロール載置部が昇ったところに位置している状態を示す。ロール載置部は、ハンドル３１を回転させることで昇降し、ハンドルを止めることでその場に停止する。昇降の方向はハンドル３１の回転方向に基づく。
【００１９】
図５は、ホルダーにロールが取り付けられた状態を説明する図である。ロール３５の紙管に、ホルダー１１のコネクター１８が食付き固定されている。ホルダー１１の本体部３６の上部に回動可能にコネクター１８が備わる。本体部３６は基底部と立設部とが備わり、立設部にはコネクター１８が備わり、基底部には摺動部１７と固定ネジ３７が備わる。
【００２０】
摺動部１７は筒状であり、軸１４に摺動可能にはめられている。摺動部１７の内径はほぼ軸１４の直径に等しく、隙間なく摺動する。また、基底部の軸１５側にも摺動部が備わり、軸１５に摺動可能にはめられている。軸１５側の摺動部は、軸１５の直径に比べ２％から１０％程度太い内径となっている。またこの軸１５側の摺動部は矩形とすることもできる。このように差を設けることで、掛からずにホルダー１１をスムーズに摺動できる。すなわち両方の摺動部に隙間があると、移動方向に対して斜めに向き、掛かってしまう恐れがある。また両者に隙間が無いと多少の軸の曲りで移動できなくなってしまう恐れがある。後述するロールの取り付けあるいは取り外しのときにスムーズに動くことが重要となる。また、この摺動部の構成は、ホルダー１０側も同様の構成を備える。摺動部は、フッ素を含む樹脂で構成することで滑りを良くできる。
【００２１】
図６（ａ）、（ｂ）、（ｃ）、（ｄ）は、ホルダーにロールを取り付ける動作を説明する図である。以下はインクジェットプリンター１の供給部あるいは巻取り部の記録媒体のロールをホルダー１０とホルダー１１に装着あるいは取り外す方法を示すものでもある。
【００２２】
先ず図６（ａ）のように、軸１４と軸１５上にロール受１２とリフト１３を載置し、そして、その上にロール３５を載置する。
次に図６（ｂ）のように、紙管がコネクター１９に嵌められる高さまでリフト１３を上げる。そして、ホルダー１０を移動させて紙管にコネクター１９を嵌める。この際、ロール受１２があるためロール３５の傾斜が緩やかになり、コネクター１９を紙管の奥まで差し込める。リフト１３は下ろす。ホルダー１０はスムーズに摺動することが好ましい。
【００２３】
次に図６（ｃ）のように、リフト１３をホルダー１１側に移動させる。この時好ましくは中央よりホルダー１１側にリフト１３をセットする。
次に図６（ｄ）のように、紙管がコネクター１８に嵌められる高さまでリフト１３を上げる。そして、ホルダー１１を移動させて紙管にコネクター１８を嵌める。そしてリフト１３を下げる。ホルダー１１はスムーズに摺動することが好ましい。
【００２４】
次にホルダー１０かホルダー１１の一方を軸１４に固定し、固定していない側を移動させて、紙管に更に強固に食付かせる。その後、逆側も紙管に強固に食付かせる。ホルダー１０あるいはホルダー１１はスムーズに摺動することが好ましく、斜めになったり軸に掛かったりする等の問題があると強く食付かせることができない場合がある。
【００２５】
次に、軸との固定を解除して、所望の位置にロール３５をホルダー１０、ホルダー１１と共に移動させる。
ロール３５を取り外す場合はこの逆の工程を行う。ロール受１２を使うことで、ロールの傾きを小さくでき、容易に嵌めること、および抜くことができる。また、ロール受１２とリフト１３が１セットあれば、巻取り装置１６以外に給紙側のロールのセットにも使用できる。
【００２６】
図７は、記録媒体の位置を説明する図である。巻取り装置１６はインクジェットプリンター１に移動可能に取り付けられている。印刷中は、ペーパーガイド６の下にロール３５が位置するように配置する。ロール３５を取り外す場合、あるいは紙管を取り付けるばあいなど巻取り装置１６を操作する場合に、外側に引き出す。外に引き出した場合を点線で図示した。キャスター７とレール８によって容易に引き出したり、押し込んだりすることができる。印刷中は、ペーパーガイド６から出た記録媒体３８に弛みを持たせ、インクを乾燥させる時間を長くしながら、ロール３５に巻取る。
【産業上の利用可能性】
【００２７】
本発明は、インクジェットプリンターに利用できる。
【符号の説明】
【００２８】
１  インクジェットプリンター
２  プラテン
３  キャリッジ
４  Ｙレール
５  搬送ローラー
６  ペーパーガイド
１０  ホルダー
１１  ホルダー
１２  ロール受
１３  リフト
１４  軸
１５  軸
１６  巻取り装置
１８  コネクター
１９  コネクター
【図１】
2014144557.tif 000003
【図２】
2014144557.tif 000004
【図３】
2014144557.tif 000005
【図４】
2014144557.tif 000006
【図５】
2014144557.tif 000007
【図６】
2014144557.tif 000008
【図７】
2014144557.tif 000009